(57)【要約】【目的】  本発明は、絞り部によって裾口部が絞られ、着衣者の足首部分に固定されたとしても、ズボンの動作性を向上させる。【構成】  ズボンは、股下部１２０ａ、２２０ａ及び絞り部３００ａを備えている。股下部１２０ａ、２２０ａは、裾口部１２１ａ、２２１ａ及び伸縮可能な内測部１２２ａ、２２２ａを有している。絞り部３００ａは、股下部１２０ａ、２２０ａの裾口部１２１ａ、２２１ａを初期状態から縮径するように絞ることが可能な構成である。【選択図】      図１Ａ
2020186499.tif 000002
【特許請求の範囲】
【請求項１】
裾口部及び伸縮可能な内測部を有する股下部と、
前記股下部の前記裾口部を初期状態から縮径するように絞ることが可能な絞り部とを備えているズボン。
【請求項２】
請求項１記載のズボンにおいて、
前記股下部は、前記裾口部を有する下腿部を有しており、前記裾口部の丈方向の寸法は、前記下腿部の丈方向の寸法の略１／３以上且つ略２／３以下の寸法であり、
前記絞り部は、耐摩耗性を有する保護カバーと、第１面ファスナと、第２面ファスナとを有しており、
前記保護カバーは、固定端を有しており、前記保護カバーが前記裾口部の外周面の表側の部分を覆うように、前記固定端が前記裾口部に接続されており、前記裾口部の前記外周面の前記表側の部分は、前記裾口部のうち着衣時に着衣者の脚の脛側に位置する部分であり、
前記第１面ファスナは、前記保護カバーの内面に設けられており、
前記第２面ファスナは、前記裾口部の前記外周面の前記表側の部分に設けられており且つ前記第１面ファスナに対して着脱可能であるズボン。
【請求項３】
請求項２記載のズボンにおいて、
前記裾口部は、内側部及びその反対の外側部を有し、
前記保護カバーの前記固定端は、前記裾口部の前記内側部に接続されており、
前記保護カバーは、前記固定端の反対側の端であり且つ前記裾口部の前記外側部側に配置される自由端を更に有しているズボン。
【請求項４】
請求項１〜３の何れかに記載のズボンにおいて、
前記内測部は、前記股下部において付け根又はその近傍から前記裾口部の上側の部分まで延びているズボン。
【請求項５】
請求項４記載のズボンにおいて、
前記股下部は、耐水性及び通気性を有しているズボン。
【請求項６】
請求項１〜５の何れかに記載のズボンにおいて、
前記股下部は、耐摩耗性を有する膝部を更に有しているズボン。
【請求項７】
請求項６記載のズボンにおいて、
前記膝部内には、クッション材が設けられているズボン。
【請求項８】
請求項１〜７の何れかに記載のズボンにおいて、
第１前側股下部を有する第１前身頃と、
第２前側股下部を有する第２前身頃と、
第１後側股下部を有する第１後身頃と、
第２後側股下部を有する第２後身頃とを備えており、
前記股下部は、第１股下部及び第２股下部を含み、前記第１股下部は、前記第１前側股下部及び前記第１後側股下部を有し、前記第２股下部は、前記第２前側股下部及び前記第２後側股下部を有しているズボン。
【請求項９】
請求項８記載のズボンにおいて、
底面視略菱形又は底面視略三角形状のマチ部を更に備えており、
前記第１前側股下部は第１前側内測部を有し、前記第２前側股下部は第２前側内測部を有し、前記第１後側股下部は第１後側内測部を有し、前記第２後側股下部は第２後側内測部を有し、
前記内測部は、第１内測部及び第２内測部を含み、前記第１内測部は、前記第１前側内測部及び前記第１後側内測部を有し、前記第２内測部は、前記第２前側内測部及び前記第２後側内測部を有しており、
前記マチ部は、前記第１前側内測部の上端部に連接された第１辺と、前記第２前側内測部の上端部に連接された第２辺と、前記第１後側内測部の上端部に連接された第３辺と、前記第２後側内測部の上端部に連接された第４辺とを有しているズボン。
【請求項１０】
請求項９記載のズボンにおいて、
前記マチ部は、通気性を有しているズボン。
【請求項１１】
請求項８〜１０の何れかに記載のズボンにおいて、
前記第１前側股下部は第１前側内測部を有し、前記第２前側股下部は第２前側内測部を有し、前記第１後側股下部は第１後側内測部を有し、前記第２後側股下部は第２後側内測部を有し、
前記内測部は、第１内測部及び第２内測部を含み、前記第１内測部は、前記第１前側内測部及び前記第１後側内測部を有し、前記第２内測部は、前記第２前側内測部及び前記第２後側内測部を有しており、
前記第１前身頃の前記第１前側内測部を除く部分、前記第２前身頃の前記第２前側内測部を除く部分、前記第１後身頃の前記第１後側内測部を除く部分、及び前記第２後身頃の前記第２前側内測部を除く部分の少なくとも一つ内には、クッション材が設けられているズボン。
【請求項１２】
請求項８〜１０の何れかに記載のズボンにおいて、
前記第１前身頃は第１前側股上部を有しており、前記第２前身頃は第２前側股上部を有しており、第１後身頃は、第１後側股上部を有しており、前記第２後身頃は第２後側股上部を有しており、
前記第１前側股上部、前記第２前側股上部、前記第１後側股上部及び前記第２後側股上部の少なくとも一つ内には、クッション材が設けられているズボン。
【発明の詳細な説明】
【技術分野】
【０００１】
本発明は、ズボンに関する。
【背景技術】
【０００２】
従来のズボンが下記特許文献１に記載されている。このズボンの下腿部には、当該下腿部の裾口部を絞ることが可能な絞り部が設けられている。この絞り部は、フラップと、第１、第２面ファスナとを有している。フラップは、その一端が下腿部の外側に止着され、下腿部に沿って後方に延びている。第１面ファスナは、フラップの内面に設けられている。第２面ファスナは、下腿部の外側面のフラップに対向する領域及びその後方の領域に設けられている。第２面ファスナの長さ寸法は、第１面ファスナの長さ寸法よりも大きい。ここで、第２面ファスナのフラップの一端側の部分を手前側部分と称し、この手前側部分の反対側の部分を先端側部分と称する。第１面ファスナが第２面ファスナの先端側部分に取り付けられることによって、裾口部が縮径されるように絞られ、その状態で固定される。
【先行技術文献】
【特許文献】
【０００３】
【特許文献１】特開平１１−６１５１３号公報
【発明の概要】
【発明が解決しようとする課題】
【０００４】
裾口部が縮径するように絞られた状態で固定されることによって、当該裾口部がズボンの着衣者の足首部分に固定されるため、着衣者の動作性が悪くなる。
【０００５】
本発明は、絞り部によって裾口部が絞られ、着衣者の足首部分に固定されたとしても、動作性を向上させることができるズボンを提供することにある。
【課題を解決するための手段】
【０００６】
上記課題を解決するために、本発明の一態様のズボンは、股下部及び絞り部を備えている。股下部は、裾口部及び伸縮可能な内測部を有している。絞り部は、股下部の裾口部を初期状態から縮径するように絞ることが可能な構成である。
このような態様のズボンによる場合、動作性が向上する。なぜなら、絞り部によって裾口部が着衣者の手首部分に固定された状態（固定状態）で、着衣者が脚を動かすと、股下部の内測部が伸びるからある。
【０００７】
股下部は、裾口部を有する下腿部を有する構成とすることが可能である。裾口部の丈方向の寸法は、下腿部の丈方向の寸法の略１／３以上且つ略２／３以下の寸法とすることが可能である。絞り部は、耐摩耗性を有する保護カバーと、第１面ファスナと、第２面ファスナとを有する構成とすることが可能である。保護カバーは、固定端を有しており、保護カバーが裾口部の外周面の表側の部分を覆うように、固定端が裾口部に接続された構成とすることが可能である。裾口部の外周面の表側の部分は、裾口部のうち着衣時に着衣者の脚の脛側に位置する部分とすることが可能である。第１面ファスナは、保護カバーの内面に設けられた構成とすることが可能である。第２面ファスナは、裾口部の外周面の表側の部分に設けられており且つ第１面ファスナに対して着脱可能である構成とすることが可能である。
このような態様のズボンによる場合、裾口部の外周面の表側の部分が保護カバーによって覆われ、保護される。保護カバーは、耐摩耗性を有しているため、擦れに強い。
【０００８】
裾口部は、内側部及びその反対の外側部を有する構成とすることが可能である。保護カバーの固定端は、裾口部の内側部に接続された構成とすることが可能である。保護カバーは、固定端の反対側の端であり且つ裾口部の外側部側に配置される自由端を更に有する構成とすることが可能である。
このような態様のズボンによる場合、保護カバーの自由端が裾口部の外側部側に配置されるため、着衣者の動作中に、自由端を建物や資材などに引っかけ難くなる。
【０００９】
内測部は、股下部において付け根又はその近傍から裾口部の上側の部分まで延びた構成とすることが可能である。
【００１０】
股下部は、耐水性及び通気性を有する構成とすることが可能である。
【００１１】
股下部は、耐摩耗性を有する膝部を更に有する構成とすることが可能である。このような態様のズボンによる場合、膝部が耐摩耗性を有しているため、擦れに強い。
【００１２】
膝部内には、クッション材が設けられた構成とすることが可能である。このような態様のズボンによる場合、膝部内のクッション材によって、着衣者の膝を保護できる。
【００１３】
上記何れかの態様のズボンは、第１前身頃、第２前身頃、第１後身頃、第２後身頃を備えた構成とすることが可能である。第１前身頃は、第１前側股下部を有し、第２前身頃は、第２前側股下部を有し、第１後身頃は、第１後側股下部を有し、第２後身頃は、第２後側股下部を有する構成とすることが可能である。股下部は、第１股下部及び第２股下部を含み、第１股下部は、第１前側股下部及び第１後側股下部を有し、第２股下部は、第２前側股下部及び第２後側股下部を有する構成とすることが可能である。
【００１４】
第１前側股下部は、第１前側内測部を有し、第２前側股下部は、第２前側内測部を有し、第１後側股下部は、第１後側内測部を有し、第２後側股下部は、第２後側内測部を有する構成とすることが可能である。内測部は、第１内測部及び第２内測部を含み、第１内測部は、第１前側内測部及び第１後側内測部を有し、第２内測部は、第２前側内測部及び第２後側内測部を有する構成とすることが可能である。
【００１５】
上記何れかの態様のズボンは、底面視略菱形又は底面視略三角形状のマチ部を更に備えた構成とすることが可能である。マチ部は、第１前側内測部の上端部に連接された第１辺と、第２前側内測部の上端部に連接された第２辺と、第１後側内測部の上端部に連接された第３辺と、第２後側内測部の上端部に連接された第４辺とを有する構成とすることが可能である。
このような態様のズボンによる場合、マチ部によって、着衣者の脚の可動域が広がるため、本ズボンの動作性が向上する。
【００１６】
マチ部は、通気性を有する構成とすることが可能である。
【００１７】
第１前身頃の第１前側内測部を除く部分、第２前身頃の第２前側内測部を除く部分、第１後身頃の第１後側内測部を除く部分、及び第２後身頃の第２前側内測部を除く部分の少なくとも一つ内には、クッション材が設けられた構成とすることが可能である。このような態様のズボンによる場合、クッション材によって、着衣者の脚を保護できる。
【００１８】
第１前身頃は第１前側股上部を有しており、第２前身頃は第２前側股上部を有しており、第１後身頃は、第１後側股上部を有しており、第２後身頃は第２後側股上部を有する構成とすることが可能である。
【００１９】
第１前側股上部、第２前側股上部、第１後側股上部及び第２後側股上部の少なくとも一つ内には、クッション材が設けられた構成とすることが可能である。このような態様のズボンによる場合、クッション材によって、着衣者の下腹部及び／又は臀部を保護できる。
【図面の簡単な説明】
【００２０】
【図１Ａ】本発明の実施例１に係るズボンの正面図である。
【図１Ｂ】前記ズボンの背面図である。
【図２Ａ】前記ズボンの正面図であって、保護カバーを開いた状態の図である。
【図２Ｂ】前記ズボンの背面図であって、保護カバーを開いた状態の図である。
【図３】前記ズボンの股下部分を示す説明図である。
【発明を実施するための形態】
【００２１】
以下、本発明の実施例１を含むに係るズボンついて図１Ａ〜図３を参照しつつ説明する。このズボンは、作業用の雨着のズボンであって、右側の前身頃１００ａ（第１前身頃）、左側の前身頃１００ｂ（第２前身頃）、右側の後身頃２００ａ（第１後身頃）及び左側の後身頃２００ｂ（第２後身頃）を備えている。なお、なお、図１Ａ〜図３には、実施例１に係るズボンが示されている。ズボンを、着衣者が履いた態を装着状態と称する。
【００２２】
前身頃１００ａ、１００ｂは、前側股上部１１０ａ、１１０ｂ（第１前側股上部、第２前側股上部）を有している。後身頃２００ａ、２００ｂは、後側股上部２１０ａ、２１０ｂ（第１後側股上部、第２後側股上部）を有している。前側股上部１１０ａ、１１０ｂは、外側端及び内側端を各々有している。後側股上部２１０ａ、２１０ｂは、外側端及び内側端を各々有している。前側股上部１１０ａ、１１０ｂの内側端の下部同士は、縫い合わせ及び／又は接着テープなどの張り合わせによって接合され、前側股上部１１０ａ、１１０ｂの内側端の下部より上側の部分には、線ファスナＳが設けられ、開閉可能となっている。後側股上部２１０ａ、２１０ｂの内側端同士は、縫い合わせ及び／又は接着テープなどの張り合わせによって接合されている。前側股上部１１０ａの外側端と後側股上部２１０ａの外側端とが、縫い合わせ及び／又は接着テープなどの張り合わせによって接合され、前側股上部１１０ｂの外側端と後側股上部２１０ｂの外側端とが、縫い合わせ及び／又は接着テープなどの張り合わせによって接合されている。
【００２３】
前身頃１００ａ、１００ｂは、前側股下部１２０ａ、１２０ｂ（第１前側股下部、第２前側股下部）を更に有している。前側股下部１２０ａ、１２０ｂは、前側下腿部を有している。前側下腿部は、前側股下部１２０ａ、１２０ｂの膝部１２３ａ、１２３ｂから先端までの部分であって、前側裾口部１２１ａ、１２１ｂを有している。前側裾口部１２１ａ、１２１ｂの丈方向の寸法は、下腿部の丈方向の寸法の略１／３以上且つ略２／３以下の寸法である。前側裾口部１２１ａ、１２１ｂの裾口幅方向（以下、単に幅方向とも称する。）は、一般的な着衣者の足首部分及び脹ら脛部分の幅よりも大きい。
【００２４】
後身頃２００ａ、２００ｂは、後側股下部２２０ａ、２２０ｂ（第１後側股下部、第２後側股下部）を更に有している。後側股下部２２０ａ、２２０ｂは、後側下腿部を有している。後側下腿部は、後側股下部２２０ａ、２２０ｂの膝裏部から先端までの部分であって、後側裾口部２２１ａ、２２１ｂを有している。後側裾口部２２１ａ、２２１ｂの丈方向の寸法は、下腿部の丈方向の寸法の略１／３以上且つ略２／３以下の寸法である。後側裾口部２２１ａ、２２１ｂの裾口幅方向（以下、単に幅方向とも称する。）は、一般的な着衣者の足首部分及び脹ら脛部分の幅よりも大きい。
【００２５】
前側股下部１２０ａ、１２０ｂは、前側内測部１２２ａ、１２２ｂ（第１前側内測部、第２前側内測部）を有している。前側内測部１２２ａ、１２２ｂは、前側股下部１２０ａ、１２０ｂの内側部分であって、前側股下部１２０ａ、１２０ｂの付け根又はその近傍から下側に延びている。例えば、前側内測部１２２ａ、１２２ｂは、前側股下部１２０ａ、１２０ｂの付け根のやや下側部から前側裾口部１２１ａ、１２１ｂの上側の部分まで延びている（図１Ａ〜図３参照）。別の態様では、前側内測部１２２ａ、１２２ｂは、前側股下部１２０ａ、１２０ｂの付け根のやや下側部から膝部１２３ａ、１２３ｂの上側の部分まで延びていても良い。前側内測部１２２ａ、１２２ｂの幅寸法は、前側股下部１２０ａ、１２０ｂの幅方向の寸法の略１／３以上且つ略２／３以下の寸法とすることが可能である（図１Ａ〜図３参照）が、これに限定されるものではない。
【００２６】
後側股下部２２０ａ、２２０ｂは、後側内測部２２２ａ、２２２ｂ（第１後側内測部、第２後側内測部）を有している。後側内測部２２２ａ、２２２ｂは、後側股下部２２０ａ、２２０ｂの内側部分であって、後側股下部２２０ａ、２２０ｂの付け根又はその近傍から下側に延びている。例えば、後側内測部２２２ａ、２２２ｂは、後側股下部２２０ａ、２２０ｂの付け根のやや下側部から後側裾口部２２１ａ、２２１ｂの上側の部分まで延びている（図１Ａ〜図３参照）。別の態様では、後側内測部２２２ａ、２２２ｂは、後側股下部２２０ａ、２２０ｂの付け根のやや下側部から膝部１２３ａ、１２３ｂの上側の部分まで延びていても良い。後側内測部２２２ａ、２２２ｂの幅寸法は、後側股下部２２０ａ、２２０ｂの幅方向の寸法の略１／３以上且つ略２／３以下の寸法とすることが可能である（図１Ａ〜図３参照）が、これに限定されるものではない。
【００２７】
前側股下部１２０ａ及び後側股下部２２０ａは、外側端及び内側端を各々有している。前側股下部１２０ｂ及び後側股下部２２０ｂは、外側端及び内側端を各々有している。前側股下部１２０ａの外側端と後側股下部２２０ａの外側端が縫い合わせ及び／又は接着テープなどの張り合わせによって接合されている。前側股下部１２０ｂの外側端と後側股下部２２０ｂの外側端が縫い合わせ及び／又は接着テープなどの張り合わせによって接合されている。前側股下部１２０ａの内側端と後側股下部２２０ａの内側端が縫い合わせ及び／又は接着テープなどの張り合わせによって接合されている。前側股下部１２０ｂの内側端と後側股下部２２０ｂの内側端が縫い合わせ及び／又は接着テープなどの張り合わせによって接合されている。このように接合されることによって、前側股下部１２０ａ及び後側股下部２２０ａが、本ズボンの右側の股下部（第１股下部）を構成し、前側股下部１２０ｂ及び後側股下部２２０ｂが本ズボンの左側の股下部（第２股下部）を構成し、前側股下部１２０ａの前側下腿部及び後側股下部２２０ａの後側下腿部が、右側の股下部の下腿部を構成し、前側股下部１２０ｂの前側下腿部及び後側股下部２２０ｂの後側下腿部が、左側の股下部の下腿部を構成し、前側股下部１２０ａの前側裾口部１２１ａ及び後側股下部２２０ａの後側裾口部２２１ａが、右側の股下部の裾口部を構成し、前側股下部１２０ｂの前側裾口部１２１ｂ及び後側股下部２２０ｂの後側裾口部２２１ｂが、左側の股下部の裾口部を構成し、前側股下部１２０ａの前側内測部１２２ａ及び後側股下部２２０ａの後側内測部２２２ａが、右側の股下部の内測部を構成し、前側股下部１２０ｂの前側内測部１２２ｂ及び後側股下部２２０ｂの後側内測部２２２ｂが、左側の股下部の内測部を構成している。
なお、前側股下部１２０ａの内側端は、前側内測部１２２ａの内側端を有し、前側股下部１２０ｂの内側端は、前側内測部１２２ｂの内側端を有し、後側股下部２２０ａの内側端は、後側内測部２２２ａの内側端を有し、後側股下部２２０ｂの内側端は、後側内測部２２２ｂの内側端を有している。
【００２８】
前身頃１００ａ、１００ｂの前側裾口部１２１ａ、１２１ｂ、前側内測部１２２ａ、１２２ｂ及び膝部１２３ａ、１２３ｂを除く部分（以下、単に除く部分とも称する。）は、前側股上部１１０ａ、１１０ｂ及び前側股下部１２０ａ、１２０ｂの前側裾口部１２１ａ、１２１ｂ、前側内測部１２２ａ、１２２ｂ及び膝部１２３ａ、１２３ｂを除く部分を有している。前身頃１００ａ、１００ｂの除く部分は、外生地及び内生地を各々有する構成とすることが可能である。外生地及び内生地は、それぞれ、伸縮性（ストレッチ性）、通気性（透湿性）及び／又は耐水性を有する生地で構成することが可能である。
例えば、前身頃１００ａ、１００ｂの除く部分の外生地が、耐水圧が１００００ｍｍ以上であり、透湿度が５０００ｇ／ｍ２・２４ｈ以上のポリエステルを主材料とする生地で構成され、前身頃１００ａ、１００ｂの除く部分の内生地が、通気性の高いメッシュ生地で構成することが可能である。
前身頃１００ａ、１００ｂの除く部分の外生地と内生地との間には、図示しないクッション材が設けられていても良い。このクッション材の厚みは、例えば、約１０ｍｍ程度とすることが可能であるが、これに限定されるものではない。また、クッション材自体がメッシュ状になっていても良い。
【００２９】
別の態様では、前身頃１００ａ、１００ｂの除く部分は、一枚の生地で各々構成することが可能である。この場合、前身頃１００ａ、１００ｂの除く部分の一枚の生地は、前身頃１００ａ、１００ｂの除く部分の外生地と同様の生地とすることが可能である。
【００３０】
後身頃２００ａ、２００ｂの後側裾口部２２１ａ、２２１ｂ及び後側内測部２２２ａ、２２２ｂを除く部分（以下、単に除く部分とも称する。）は、後側股上部２１０ａ、２１０ｂ及び後側股下部２２０ａ、２２０ｂの後側裾口部２２１ａ、２２１ｂ及び後側内測部２２２ａ、２２２ｂを除く部分を有している。後身頃２００ａ、２００ｂの除く部分は、前身頃１００ａ、１００ｂの除く部分と同様の外生地及び内生地を有する構成とすることが可能であるし、前身頃１００ａ、１００ｂの除く部分と同様の一枚の生地で構成することも可能である。
後身頃２００ａ、２００ｂの除く部分の外生地と内生地との間には、図示しないクッション材が設けられていても良い。このクッション材の厚みは、例えば、約１０ｍｍ程度とすることが可能であるが、これに限定されるものではない。また、クッション材自体がメッシュ状になっていても良い。
【００３１】
前側裾口部１２１ａ、１２１ｂは、前身頃１００ａ、１００ｂの除く部分と同様の外生地及び内生地を有する構成とすることが可能であるし、前身頃１００ａ、１００ｂの除く部分と同様の一枚の生地で構成することも可能である。後側裾口部２２１ａ、２２１ｂは、後身頃２００ａ、２００ｂの除く部分と同様の外生地及び内生地を有する構成とすることが可能であるし、後身頃２００ａ、２００ｂの除く部分と同様の一枚の生地で構成することも可能である。
【００３２】
前側内測部１２２ａ、１２２ｂは、外生地及び内生地を各々有する構成とすることが可能である。前側内測部１２２ａ、１２２ｂの外生地及び内生地の少なくとも一方の生地は、少なくとも伸縮性（ストレッチ性）を有する第１生地、伸縮性（ストレッチ性）及び通気性（透湿性）を有する第２生地又は伸縮性（ストレッチ性）、通気性（透湿性）及び耐水性を有する第３生地で構成することが可能である。他方の生地が、第１〜第３生地で構成されていない場合、任意の生地で構成することが可能であるが、伸縮性（ストレッチ性）、通気性（透湿性）又は耐水性を有する生地で構成することが可能である。
例えば、前側内測部１２２ａ、１２２ｂの外生地が、耐水圧が１００００ｍｍ以上であり、透湿度が５０００ｇ／ｍ２・２４ｈ以上のポリエステルを主材料とする伸縮性の高いニット素材（第３生地）で構成され、前側内測部１２２ａ、１２２ｂの内生地が、タフタで構成することが可能である。
【００３３】
別の態様では、前側内測部１２２ａ、１２２ｂは、一枚の生地で各々構成することが可能である。この場合、前記生地は、例えば、第１〜第３生地の何れかによって構成可能である。
【００３４】
後側内測部２２２ａ、２２２ｂは、前側内測部１２２ａ、１２２ｂと同様の外生地及び内生地を有する構成とすることが可能であるし、前側内測部１２２ａ、１２２ｂと同様の一枚の生地で構成することも可能である。
【００３５】
膝部１２３ａ、１２３ｂは、前身頃１００ａ、１００ｂの除く部分と同様の外生地及び内生地を有する構成とすることが可能であるし、前身頃１００ａ、１００ｂの除く部分と同様の一枚の生地で構成することも可能である。膝部１２３ａ、１２３ｂの外生地は、耐摩耗性を更に有していても良い。膝部１２３ａ、１２３ｂの外生地と内生地との間には、図示しないクッション材が設けられていても良い。このクッション材の厚みは、例えば、約１０ｍｍ程度とすることが可能であるが、これに限定されるものではない。
【００３６】
ズボンは、マチ部４００を更に備えていても良い。マチ部４００は、底面視略菱形状又は底面視略三角形状であって、第１辺４１０、第２辺４２０、第３辺４３０及び第４辺４４０を有している。
第１辺４１０は、前側内測部１２２ａの内側端の上端部及び前側股下部１２０ａの内側端の前側内測部１２２ａの内側端より上側部分に縫い合わせ及び／又は接着テープなどの張り合わせによって接合されている。このようにして第１辺４１０は、前側内測部１２２ａの内側端の上端部及び前側股下部１２０ａの内側端の前記上側部分に連接されている。
第２辺４２０は、前側内測部１２２ｂの内側端の上端部及び前側股下部１２０ｂの内側端の前側内測部１２２ｂの内側端より上側部分に縫い合わせ及び／又は接着テープなどの張り合わせによって接合されている。このようにして第２辺４２０は、前側内測部１２２ｂの内側端の上端部及び前側股下部１２０ｂの内側端の前記上側部分に連接されている。
第３辺４３０は、後側内測部２２２ａの内側端の上端部及び後側股下部２２０ｂの内側端の後側内測部２２２ａの内側端より上側部分に縫い合わせ及び／又は接着テープなどの張り合わせによって接合されている。このようにして第３辺４３０は、後側内測部２２２ａの内側端の上端部及び後側股下部２２０ｂの内側端の前記上側部分に連接されている。
第４辺４４０は、後側内測部２２２ｂの内側端の上端部及び後側股下部２２０ｂの内側端の後側内測部２２２ｂの内側端より上側部分に縫い合わせ及び／又は接着テープなどの張り合わせによって接合されている。このようにして第４辺４４０は、後側内測部２２２ｂの内側端の上端部及び後側股下部２２０ｂの内側端の前記上側部分に連接されている。
【００３７】
マチ部４００は、前身頃１００ａ、１００ｂの除く部分と同様の外生地及び内生地を有する構成とすることが可能であるし、前身頃１００ａ、１００ｂの除く部分と同様の一枚の生地で構成することも可能である。なお、マチ部４００は、省略可能である。
【００３８】
ズボンは、絞り部３００ａ、３００ｂを更に備えている。絞り部３００ａ、３００ｂは、右側、左側の股下部の裾口部を初期状態から縮径するように絞ることが可能な構成である。絞り部３００ａ、３００ｂは、保護カバー３１０ａ、３１０ｂ、少なくとも一つの第１面ファスナ３２０ａ、３２０ｂ及び少なくとも一つの第２面ファスナ３３０ａ、３３０ｂを有する構成とすることが可能である。
【００３９】
保護カバー３１０ａ、３１０ｂは、耐摩耗性及び／又は耐久性を有する生地で構成されている。例えば、保護カバー３１０ａ、３１０ｂは、ポリエステル等の縦糸、横糸で織られたオックスフォード生地で構成され、上記タフタ生地よりも耐摩耗性及び／又は耐久性を向上させているが、これに限定されるものではない。縦糸、横糸は、引きそろえられた複数の糸（例えば、２〜４本）で構成されている。保護カバー３１０ａ、３１０ｂの耐摩耗性及び／又は耐久性は、裾口部のの耐摩耗性及び／又は耐久性よりも高くすると良い。保護カバー３１０ａ、３１０ｂは、略矩形状であって、裾口部の丈方向及び幅方向に延びている。保護カバー３１０ａ、３１０ｂの丈方向の寸法は、裾口部の丈方向の寸法と略同じとすることが可能である。すなわち、保護カバー３１０ａ、３１０ｂの丈方向の寸法は、右側、左側の股下部の丈方向の寸法の略１／３以上且つ略２／３以下の寸法とすることが可能である。保護カバー３１０ａ、３１０ｂの幅方向の寸法は、裾口部の幅方向の寸法と略同じ又はそれ以上とすることが可能である。
【００４０】
保護カバー３１０ａ、３１０ｂは、幅方向の一端である固定端と、その反対側の自由端とを有する。保護カバー３１０ａ、３１０ｂの固定端は、保護カバー３１０ａ、３１０ｂが裾口部の外周面の表側の部分を覆うように、裾口部に縫い合わせ及び／又は接着テープなどの張り合わせによって接続されている。例えば、保護カバー３１０ａ、３１０ｂの固定端は、裾口部の内側部（例えば、裾口部の前側裾口部１２１ａ、１２１ｂの内測辺と後側裾口部２２１ａ、２２１ｂの内測辺）に接続され、保護カバー３１０ａ、３１０ｂの自由端が、裾口部の外側部（裾口部の前側裾口部１２１ａ、１２１ｂの外側部と後側裾口部２２１ａ、２２１ｂの外側部）側に位置していると良いが、その逆でも良い。保護カバー３１０ａ、３１０ｂにより、裾口部の外周面の表側の部分が保護される。なお、本発明における裾口部の外周面の表側の部分とは、装着状態で、着衣者の脚の脛側に位置する部分であって、裾口部の前側裾口部１２１ａ、１２１ｂとすることが可能である。
【００４１】
少なくとも一つの第１面ファスナ３２０ａ、３２０ｂは、保護カバー３１０ａ、３１０ｂの内面に設けられている。少なくとも一つの第１面ファスナ３２０ａ、３２０ｂは、幅方向に延びている。少なくとも一つの第１面ファスナ３２０ａ、３２０ｂは、複数とすることが可能である。この場合、複数の第１面ファスナ３２０ａ、３２０ｂは、丈方向に間隔をあけて配置されている。
【００４２】
少なくとも一つの第２面ファスナ３３０ａ、３３０ｂは、裾口部の外周面の表側の部分に設けられている。少なくとも一つの第２面ファスナ３３０ａ、３３０ｂは、幅方向に延びている。少なくとも一つの第２面ファスナ３３０ａ、３３０ｂは、複数とすることが可能である。この場合、複数の第２面ファスナ３３０ａ、３３０ｂは、丈方向に間隔をあけて配置されている。この一又は複数の第２面ファスナ３３０ａ、３３０ｂは、幅方向において、保護カバー３１０ａの自由端を越えて延びていても良いが、これに限定されるものではない。以下、説明の便宜上、少なくとも一つの第２面ファスナ３３０ａ、３３０ｂの保護カバー３１０ａの固定端側を根元側、その反対側を先端側と称する。
【００４３】
少なくとも一つの第１面ファスナ３２０ａ、３２０ｂ及び少なくとも一つの第２面ファスナ３３０ａ、３３０ｂの何れか一方が雄面ファスナであり、他方が雌面ファスナであって、両者が着脱可能に張り合わされている。裾口部の裾周りが縮んでいない状態で、少なくとも一つの第１面ファスナ３２０ａ、３２０ｂ及び少なくとも一つの第２面ファスナ３３０ａ、３３０ｂが張り合わされている状態が、初期状態であるが、初期状態は任意に設定できる。保護カバー３１０ａ、３１０ｂの少なくとも一つの第１面ファスナ３２０ａ、３２０ｂが、初期状態よりも少なくとも一つの第２面ファスナ３３０ａ、３３０ｂに対して先端側に張り合わされることによって、裾口部の裾周りが縮径するように絞られる。装着状態においては、絞られた裾口部が着衣者の足首部分に固定される。
【００４４】
別の態様では、少なくとも一つの第１面ファスナ３２０ａ、３２０ｂは、丈方向に延びていても良い。少なくとも一つの第１面ファスナ３２０ａ、３２０ｂが複数である場合、複数の第１面ファスナ３２０ａ、３２０ｂは、幅方向に間隔をあけて配置されていると良い。
【００４５】
別の態様では、少なくとも一つの第２面ファスナ３３０ａ、３３０ｂは、丈方向に延びていても良い。少なくとも一つの第２面ファスナ３３０ａ、３３０ｂが複数である場合、複数の第２面ファスナ３３０ａ、３３０ｂは、幅方向に間隔をあけて配置されていると良い。
【００４６】
以上のようなズボンは、以下の技術的特徴及び効果を奏する。
（１）本ズボンは、動作性が向上する。その理由は以下の通りである。
右側の股下部（前側股下部１２０ａ及び後側股下部２２０ａ）の内側部（前側内測部１２２ａ及び後側内測部２２２ａ）が少なくとも伸縮性を有する生地で構成されているので、絞り部３００ａによって、右側の股下部の裾口部（前側裾口部１２１ａ及び後側裾口部２２１ａ）が絞られ、着衣者の右足の足首部分に固定された状態（固定状態）で、着衣者が脚を動かすと、脚の動きに応じて前側内測部１２２ａ及び後側内測部２２２ａが伸びるため、脚の動きが阻害され難い。同様に、左側の股下部の（前側股下部１２０ｂ及び後側股下部２２０ｂ）の内側部（前側内測部１２２ｂ及び後側内測部２２２ｂ）が少なくとも伸縮性を有する生地で構成されているので、絞り部３００ａ、３００ｂによって、左側の股下部の裾口部（前側裾口部１２１ｂ及び後側裾口部２２１ｂ）が絞られ、着衣者の右足の足首部分に固定された状態（固定状態）で、着衣者が脚を動かすと、脚の動きに応じて前側内測部１２２ｂ及び後側内測部２２２ｂが伸びるため、脚の動きが阻害され難い。
しかも、本ズボンが、マチ部４００を備えている場合、マチ部４００によって脚の可動域が広がるため、この点でも、脚の動きが阻害され難い。
【００４７】
（２）裾口部の外周面の表側の部分が絞り部３００ａの保護カバー３１０ａ、３１０ｂによって覆われ、保護されている。保護カバー３１０ａ、３１０ｂは、耐摩耗性を有し、擦れに強いため、保護カバー３１０ａ、３１０ｂを建物の壁や建材などに擦ったとしても、裾口部が擦れることがない。
また、ズボンが、膝部１２３ａ、１２３ｂを備えている場合、膝部１２３ａ、１２３ｂが耐摩耗性を有するため、膝部１２３ａ、１２３ｂが建物の壁や建材などに対する擦れに強くなる。
【００４８】
（３）絞り部３００ａの保護カバー３１０ａ、３１０ｂの固定端が裾口の内測部に接続され、保護カバー３１０ａ、３１０ｂの自由端が裾口部の外測部側に配置されている場合、保護カバー３１０ａ、３１０ｂの自由端を建物の壁や建材などに引っかけ難くなる。
【００４９】
（４）前身頃１００ａ、１００ｂの除く部分内にクッション材が設けられ、後身頃２００ａ、２００ｂの除く部分内にクッション材が設けられている場合、クッション材によって着衣者の脚、下腹部及び臀部が保護される。
【００５０】
なお、上記したズボンは、上記実施例に限定されるものではなく、特許請求の範囲の記載範囲において任意に設計変更することが可能である。以下、詳しく述べる。
【００５１】
本発明の絞り部は、股下部の裾口部を初期状態から縮径するように絞ることが可能である限り任意に設計変更することが可能である。例えば、絞り部は、保護カバーに代えてベルトやフラップを有する構成とすることが可能である。また、絞り部は、裾口部に通された紐と、留め具とを有し、この紐を引っ張って、裾口部を初期状態から縮径するように絞り、その状態を留め具で留める構成とすることも可能である。これらの場合、裾口部の丈方向の寸法は、任意に決定できる。すなわち、裾口部の丈方向の寸法は、下腿部の丈方向の略１／３未満の寸法とすることが可能である。なお、本発明の保護カバーは複数とすることが可能である。この場合、保護カバーは、丈方向に並べて配置されていると良い。
【００５２】
本発明において、クッション材は、第１前身頃の第１前側内測部を除く部分、第２前身頃の第２前側内測部を除く部分、第１後身頃の第１後側内測部を除く部分、及び第２後身頃の第２前側内測部を除く部分の少なくとも一つ内に設けられていても良いし、第１前側股上部、第２前側股上部、第１後側股上部及び第２後側股上部の少なくとも一つ内に設けられていても良い。なお、本発明のクッション材は、省略可能である。
【００５３】
本発明の「接合」は、上記した直接的な接合に限定されるものではなく、シールテープや当て布を介して間接的に接合するものも含む。
【００５４】
なお、上記実施例の各態様及び設計変形例におけるズボンの各構成要素を構成する素材、形状、寸法、数及び配置等はその一例を説明したものであって、同様の機能を実現し得る限り任意に設計変更することが可能である。上記した実施例の各態様及び設計変更例は、互いに矛盾しない限り、相互に組み合わせることが可能である。
【００５５】
本発明のズボンは、作業用の雨着のズボン以外のズボンに適用可能である。
【符号の説明】
【００５６】
１００ａ、１００ｂ：前身頃
１１０ａ、１１０ｂ：前側股上部
１２０ａ、１２０ｂ：前側股下部（第１、第２股下部の一部）
１２１ａ、１２１ｂ：前側裾口部（第１、第２裾口部の一部）
１２２ａ、１２２ｂ：前側内測部（第１、第２内測部の一部）
１２３ａ、１２３ｂ：膝部
２００ａ、２００ｂ：後身頃
２１０ａ、２１０ｂ：後側股上部
２２０ａ、２２０ｂ：後側股下部（第１、第２股下部の一部）
２２１ａ、２２１ｂ：後側裾口部（第１、第２裾口部の一部）
２２２ａ、２２２ｂ：後側内測部（第１、第２内測部の一部）
３００ａ、３００ｂ：絞り部
３１０ａ、３１０ｂ：保護カバー
３２０ａ、３２０ｂ：第１面ファスナ
３３０ａ、３３０ｂ：第２面ファスナ
４００：マチ部
４１０：第１辺
４２０：第２辺
４３０：第３辺
４４０：第４辺
Ｓ：線ファスナ
【図１Ａ】
2020186499.tif 000003
【図１Ｂ】
2020186499.tif 000004
【図２Ａ】
2020186499.tif 000005
【図２Ｂ】
2020186499.tif 000006
【図３】
2020186499.tif 000007